(57)【要約】【課題】  この発明は、第１通信形態（例えば、ＰＨＳ）と第２通信形態（例えば、ＧＳＭ）との両方の待ち受けを行うことができ、かつ待ち受け時に干渉による誤動作の発生を防止できる通信端末を提供することを目的とする。【解決手段】  第１通信形態の通信圏内ではなくかつ第２通信形態側の周波数帯域Ｙのいずれかにおいて第２通信形態の通信圏内である場合に、第２通信形態の待ち受けのみを行う第２通信形態のみの待ち受け状態に移行させる手段、ならびに第２通信形態のみの待ち受け状態において、第２通信形態側の各周波数帯域のうち最も受信レベルが高い周波数帯を使用して第２通信形態の待ち受け動作を行うとともに、所定時間毎に第２通信形態の待ち受け動作を一時的に中断して第１通信形態の通信圏内になったか否かを判別し、第１通信形態の通信圏内であると判別した場合には、デュアル待ち受け状態に移行させる手段を備えている。【選択図】  図１
2006203419.tif 000002
【特許請求の範囲】
【請求項１】
周波数帯域Ｘを使用する第１通信形態と、周波数帯域Ｘ以外の１または複数の周波数帯域Ｙと周波数帯域Ｘとを使用する第２通信形態の両方の待ち受け機能を有する通信端末において、
第１通信形態の通信圏内でありかつ第２通信形態側の周波数帯域Ｙのいずれかにおいて第２通信形態の通信圏内である場合に、第１通信形態の待ち受けと第２通信形態側の周波数帯域Ｘ以外で受信レベルの最も高い周波数帯での第２通信形態の待ち受けとの両方を行うデュアル待ち受け状態に移行させる手段、
第１通信形態の通信圏内でありかつ第２通信形態側の周波数帯域Ｙのいずれにおいても第２通信形態の通信圏内でない場合に、第１通信形態の待ち受けのみを行う第１通信形態のみの待ち受け状態に移行させる手段、
第１通信形態の通信圏内ではなくかつ第２通信形態側の周波数帯域Ｙのいずれかにおいて第２通信形態の通信圏内である場合に、第２通信形態の待ち受けのみを行う第２通信形態のみの待ち受け状態に移行させる手段、ならびに
第２通信形態のみの待ち受け状態において、第２通信形態側の各周波数帯域のうち最も受信レベルが高い周波数帯を使用して第２通信形態の待ち受け動作を行うとともに、所定時間毎に第２通信形態の待ち受け動作を一時的に中断して第１通信形態の通信圏内になったか否かを判別し、第１通信形態の通信圏内であると判別した場合には、デュアル待ち受け状態に移行させる手段、
を備えていることを特徴とする通信端末。
【請求項２】
周波数帯域Ｘを使用する第１通信形態と、周波数帯域Ｘ以外の１または複数の周波数帯域Ｙと周波数帯域Ｘとを使用する第２通信形態の両方の待ち受け機能を有する通信端末において、
第２通信形態の通信圏内であって、第２通信形態側の各周波数帯域のうち受信レベルの最も高い周波数帯域が周波数帯域Ｘ以外の周波数帯域であり、かつ第１通信形態の通信圏内である場合に、第２通信形態側の周波数帯域Ｘ以外で受信レベルの最も高い周波数帯を使用した第２通信形態の待ち受けと第１通信形態の待ち受けとの両方を行うデュアル待ち受け状態に移行させる手段、
第２通信形態の通信圏内であって、第２通信形態側の各周波数帯域のうち受信レベルの最も高い周波数帯域が周波数帯域Ｘ以外の周波数帯域であり、かつ第１通信形態の通信圏内ではない場合に、第２通信形態側の周波数帯域Ｘ以外で受信レベルの最も高い周波数帯を使用した第２通信形態の待ち受けのみを行う第１の第２通信形態のみの待ち受け状態に移行させる手段、
第２通信形態の通信圏内であって、第２通信形態側の各周波数帯域のうち受信レベルの最も高い周波数帯域が周波数帯域Ｘである場合に、第２通信形態側の周波数帯域Ｘを使用した第２通信形態の待ち受けのみを行う第２の第２通信形態のみの待ち受け状態に移行させる手段、
第２通信形態の通信圏内ではなく、かつ第１通信形態の受信圏内である場合に、第１通信形態の待ち受けのみを行う第１通信形態のみの待ち受け状態に移行させる手段、
第２の第２通信形態のみの待ち受け状態において、所定時間毎に、第２通信形態側の各周波数帯域において通信圏内か否かを判別し、第２通信形態側のいずれかの周波数帯において通信圏内であり、かつ受信レベルの最も高い周波数帯域が周波数帯域Ｘ以外の周波数帯域であるときには、第２通信形態の待ち受け動作を一時的に中断して第１通信形態の通信圏内になったか否かを判別し、第１通信形態の通信圏内であると判別した場合には、デュアル待ち受け状態に移行させ、第１通信形態の通信圏内ではないと判別した場合には、第１の第２通信形態のみの待ち受け状態に移行させる手段、ならびに
第１通信形態のみの待ち受け状態において、所定時間毎に、第１通信形態の待ち受け動作を一時的に中断して、第２通信形態の通信圏内になったか否かを判別し、第２通信形態の通信圏内でありかつ受信レベルの最も高い周波数帯域が周波数帯域Ｘであると判別した場合には、第２の第２通信形態のみの待ち受け状態に移行させ、第２通信形態の通信圏内でありかつ受信レベルの最も高い周波数帯域が周波数帯域Ｘ以外の周波数帯域であると判別した場合には、デュアル待ち受け状態に移行させる手段、
を備えていることを特徴とする通信端末。
【発明の詳細な説明】
【技術分野】
【０００１】
この発明は、ＰＨＳ(Personal Handyphone System)およびＧＳＭ(Global System for Mobile Communications) の両方の待ち受け機能( デュアル待ち受け機能) を有する通信端末に関する。
【背景技術】
【０００２】
ＰＨＳおよびＧＳＭの両方を同時に待ち受ける機能( デュアル待ち受け機能) を有する従来の携帯型電話機においては、ＰＨＳで使用する周波数帯域は１９００ＭＨｚ帯であり、ＧＳＭで使用する周波数帯域は９００ＭＨｚ帯と１８００ＭＨｚ帯であるので、それぞれ異なる周波数帯を使用して待ち受け動作を行っていた。このため、従来の携帯型電話機においては、ＰＨＳおよびＧＳＭの待ち受け時には、双方の受信状態を意識することなく、ＰＨＳおよびＧＳＭについてそれぞれ独立して待ち受け動作を行っていた。
【０００３】
ところが、ＧＳＭで使用する周波数帯域として、上記９００ＭＨｚ帯と１８００ＭＨｚ帯以外に、ＰＨＳで使用する周波数帯域と同じ１９００ＭＨｚ帯を使用するモードがある。ＧＳＭで使用する周波数帯域がＰＨＳで使用する周波数帯域と非常に近い場合、ＰＨＳおよびＧＳＭに対して同時に待ち受け動作を行うと、干渉により正常に受信できない場合がある。このため、デュアル待ち受け動作を実行する場合には、ＰＨＳおよびＧＳＭのうちの一方の受信動作を停止して待ち受けを行う必要がある。
【０００４】
たとえば、ＰＨＳの待ち受けを優先する場合には、ＧＳＭについては９００ＭＨｚ帯と１８００ＭＨｚ帯のみに限定してデュアル待ち受け動作を行う必要がある。逆にＧＳＭの待ち受けを優先する場合には、ＰＨＳの待ち受け動作を実行させることはできない。
【発明の開示】
【発明が解決しようとする課題】
【０００５】
この発明は、第１通信形態（例えば、ＰＨＳ）と第２通信形態（例えば、ＧＳＭ）との両方の待ち受けを行うことができ、かつ待ち受け時に干渉による誤動作の発生を防止できる通信端末を提供することを目的とする。
【課題を解決するための手段】
【０００６】
請求項１に記載の発明は、周波数帯域Ｘを使用する第１通信形態と、周波数帯域Ｘ以外の１または複数の周波数帯域Ｙと周波数帯域Ｘとを使用する第２通信形態の両方の待ち受け機能を有する通信端末において、
第１通信形態の通信圏内でありかつ第２通信形態側の周波数帯域Ｙのいずれかにおいて第２通信形態の通信圏内である場合に、第１通信形態の待ち受けと第２通信形態側の周波数帯域Ｘ以外で受信レベルの最も高い周波数帯での第２通信形態の待ち受けとの両方を行うデュアル待ち受け状態に移行させる手段、
第１通信形態の通信圏内でありかつ第２通信形態側の周波数帯域Ｙのいずれにおいても第２通信形態の通信圏内でない場合に、第１通信形態の待ち受けのみを行う第１通信形態のみの待ち受け状態に移行させる手段、
第１通信形態の通信圏内ではなくかつ第２通信形態側の周波数帯域Ｙのいずれかにおいて第２通信形態の通信圏内である場合に、第２通信形態の待ち受けのみを行う第２通信形態のみの待ち受け状態に移行させる手段、ならびに
第２通信形態のみの待ち受け状態において、第２通信形態側の各周波数帯域のうち最も受信レベルが高い周波数帯を使用して第２通信形態の待ち受け動作を行うとともに、所定時間毎に第２通信形態の待ち受け動作を一時的に中断して第１通信形態の通信圏内になったか否かを判別し、第１通信形態の通信圏内であると判別した場合には、デュアル待ち受け状態に移行させる手段、
を備えていることを特徴とする。
【０００７】
請求項２に記載の発明は、周波数帯域Ｘを使用する第１通信形態と、周波数帯域Ｘ以外の１または複数の周波数帯域Ｙと周波数帯域Ｘとを使用する第２通信形態の両方の待ち受け機能を有する通信端末において、
第２通信形態の通信圏内であって、第２通信形態側の各周波数帯域のうち受信レベルの最も高い周波数帯域が周波数帯域Ｘ以外の周波数帯域であり、かつ第１通信形態の通信圏内である場合に、第２通信形態側の周波数帯域Ｘ以外で受信レベルの最も高い周波数帯を使用した第２通信形態の待ち受けと第１通信形態の待ち受けとの両方を行うデュアル待ち受け状態に移行させる手段、
第２通信形態の通信圏内であって、第２通信形態側の各周波数帯域のうち受信レベルの最も高い周波数帯域が周波数帯域Ｘ以外の周波数帯域であり、かつ第１通信形態の通信圏内ではない場合に、第２通信形態側の周波数帯域Ｘ以外で受信レベルの最も高い周波数帯を使用した第２通信形態の待ち受けのみを行う第１の第２通信形態のみの待ち受け状態に移行させる手段、
第２通信形態の通信圏内であって、第２通信形態側の各周波数帯域のうち受信レベルの最も高い周波数帯域が周波数帯域Ｘである場合に、第２通信形態側の周波数帯域Ｘを使用した第２通信形態の待ち受けのみを行う第２の第２通信形態のみの待ち受け状態に移行させる手段、
第２通信形態の通信圏内ではなく、かつ第１通信形態の受信圏内である場合に、第１通信形態の待ち受けのみを行う第１通信形態のみの待ち受け状態に移行させる手段、
第２の第２通信形態のみの待ち受け状態において、所定時間毎に、第２通信形態側の各周波数帯域において通信圏内か否かを判別し、第２通信形態側のいずれかの周波数帯において通信圏内であり、かつ受信レベルの最も高い周波数帯域が周波数帯域Ｘ以外の周波数帯域であるときには、第２通信形態の待ち受け動作を一時的に中断して第１通信形態の通信圏内になったか否かを判別し、第１通信形態の通信圏内であると判別した場合には、デュアル待ち受け状態に移行させ、第１通信形態の通信圏内ではないと判別した場合には、第１の第２通信形態のみの待ち受け状態に移行させる手段、ならびに
第１通信形態のみの待ち受け状態において、所定時間毎に、第１通信形態の待ち受け動作を一時的に中断して、第２通信形態の通信圏内になったか否かを判別し、第２通信形態の通信圏内でありかつ受信レベルの最も高い周波数帯域が周波数帯域Ｘであると判別した場合には、第２の第２通信形態のみの待ち受け状態に移行させ、第２通信形態の通信圏内でありかつ受信レベルの最も高い周波数帯域が周波数帯域Ｘ以外の周波数帯域であると判別した場合には、デュアル待ち受け状態に移行させる手段、
を備えていることを特徴とする。
【発明の効果】
【０００８】
この発明によれば、第１通信形態（例えば、ＰＨＳ）と第２通信形態（例えば、ＧＳＭ）との両方の待ち受けを行うことができ、かつ待ち受け時に干渉による誤動作の発生を防止できるようになる。
【発明を実施するための最良の形態】
【０００９】
以下、図面を参照して、この発明を携帯型電話機に適用した場合の実施例について説明する。
【実施例１】
【００１０】
図１は、携帯型電話機の主要部の構成を示している。
【００１１】
１はＧＳＭアンテナである。２は、ＧＳＭアンテナ１に接続されたＧＳＭ通信制御部である。３は、ＧＳＭ通信制御部２に接続されたＧＳＭ通信用のＣＰＵである。４は、ＣＰＵ３に接続されたメモリである。
【００１２】
１１はＰＨＳアンテナである。１２は、ＰＨＳアンテナ１１に接続されたＰＨＳ通信制御部である。１３は、ＰＨＳ通信制御部１２に接続されたＰＨＳ通信用のＣＰＵである。１４は、ＣＰＵ１３に接続されたメモリである。ＧＳＭ通信用のＣＰＵ３とＰＨＳ通信用のＣＰＵ１３とは、Ｉ／Ｆ部１０を介して互いに接続されている。
【００１３】
この実施例では、ＰＨＳで使用する周波数帯域としては１９００ＭＨｚ帯があり、ＧＳＭで使用する周波数帯域としては９００ＭＨｚ帯、１８００ＭＨｚ帯および１９００ＭＨｚ帯があるものとする。
【００１４】
この携帯型電話機は、ＰＨＳおよびＧＳＭの両方を同時に待ち受ける機能( デュアル待ち受け機能) を備えている。また、デュアル待ち受け時にＰＨＳの待ち受けおよびＧＳＭの待ち受けのいずれを優先して受信するかをユーザによって設定できるようになっている。
【００１５】
〔１〕デュアル待ち受け時にＰＨＳの待ち受けを優先して受信するモードが設定されている場合
【００１６】
図２は、デュアル待ち受け時にＰＨＳの待ち受けを優先して受信するモードが設定されている場合に、ＣＰＵ３、１３によって実行される処理の手順を示している。
【００１７】
電源がオンされると、まず、ＰＨＳ側のサーチを行ない（ステップＳ１）、ＰＨＳの通信圏内であるか否かを判別する（ステップＳ２）。
【００１８】
ＰＨＳの通信圏内であると判別した場合には、ＧＳＭ側の９００ＭＨｚ帯および１８００ＭＨｚ帯において、ＧＳＭ側のサーチを行ない（ステップＳ３）、ＧＳＭ側の９００ＭＨｚ帯および１８００ＭＨｚ帯の少なくとも一方において、ＧＳＭの通信圏内であるか否かを判別する（ステップＳ４）。
【００１９】
ＧＳＭ側の９００ＭＨｚ帯および１８００ＭＨｚ帯の少なくとも一方において、ＧＳＭの通信圏内であると判別した場合には、デュアル待ち受け状態に移行する（ステップＳ５）。デュアル待ち受け状態においては、ＧＳＭ側の９００ＭＨｚ帯および１８００ＭＨｚ帯のうち通信圏内であると判別された周波数帯（両方が圏内である場合には受信レベルの高い方の周波数帯）のＧＳＭの信号と、ＰＨＳの信号とを定期的に受信するといった処理を行う。デュアル待ち受け状態において、ＰＨＳの受信レベルが所定以下になったときには、後述するステップＳ９のＧＳＭのみの待ち受け状態に移行する。デュアル待ち受け状態において、ＧＳＭの受信レベルが所定以下になったときには、後述するステップＳ６のＰＨＳのみの待ち受け状態に移行する。
【００２０】
上記ステップＳ４において、ＧＳＭの通信圏内ではないと判別した場合には、ＰＨＳのみの待ち受け状態に移行する（ステップＳ６）。ＰＨＳのみの待ち受け状態においては、ＰＨＳの信号を定期的に受信するといった処理を行うとともに、所定時間間隔でＧＳＭ側の９００ＭＨｚ帯および１８００ＭＨｚ帯においてＧＳＭ側のサーチを行なう。ＰＨＳのみの待ち受け状態において、ＰＨＳの受信レベルが所定以下になったときには、ステップＳ１に戻る。ＰＨＳのみの待ち受け状態において、ＧＳＭ側のサーチにより、ＧＳＭ側の９００ＭＨｚ帯および１８００ＭＨｚ帯の少なくとも一方においてＧＳＭの通信圏内であると判別された場合には、上記ステップＳ５のデュアル待ち受け状態に移行する。
【００２１】
上記ステップＳ２において、ＰＨＳの通信圏内ではないと判別した場合には、ＧＳＭ側の９００ＭＨｚ帯および１８００ＭＨｚ帯において、ＧＳＭ側のサーチを行ない（ステップＳ７）、ＧＳＭ側の９００ＭＨｚ帯および１８００ＭＨｚ帯の少なくとも一方において、ＧＳＭの通信圏内であるか否かを判別する（ステップＳ８）。
【００２２】
ＧＳＭ側の９００ＭＨｚ帯および１８００ＭＨｚ帯の少なくとも一方において、ＧＳＭの通信圏内であると判別した場合にはＧＳＭのみの待ち受け状態に移行し（ステップＳ９）、ＧＳＭの通信圏内ではないと判別した場合には、ステップＳ１に戻る。
【００２３】
図３は、上記ステップＳ９のＧＳＭのみの待ち受け状態において実行される処理の手順を示している。
【００２４】
第１のＧＳＭのみの待ち受け処理を行う（ステップＳ１１）。第１のＧＳＭのみの待ち受け処理においては、ＧＳＭ側の９００ＭＨｚ帯および１８００ＭＨｚ帯のうち通信圏内であると判別された周波数帯（両方が圏内である場合には受信レベルの高い方の周波数帯）のＧＳＭの信号を定期的に受信するといった処理を行うとともに、所定時間間隔でＰＨＳ側のサーチを行なう。第１のＧＳＭのみの待ち受け処理において、ＧＳＭの受信レベルが所定以下になったときには、ステップＳ１に戻る。第１のＧＳＭのみの待ち受け処理において、ＰＨＳ側のサーチにより、ＰＨＳの通信圏内であると判別された場合には、上記ステップＳ５のデュアル待ち受け状態に移行する。
【００２５】
上記ステップＳ１１の第１のＧＳＭのみの待ち受け処理が行われている場合に、所定時間が経過すると（ステップＳ１２でＹＥＳ）、ＧＳＭ側の９００ＭＨｚ帯、１８００ＭＨｚ帯および１９００ＭＨｚ帯において、ＧＳＭ側のサーチを行ない（ステップＳ１３）、ＧＳＭ側の９００ＭＨｚ帯、１８００ＭＨｚ帯および１９００ＭＨｚ帯の少なくとも１つにおいて、ＧＳＭの通信圏内であるか否かを判別する（ステップＳ１４）。ＧＳＭの通信圏内ではないと判別した場合には、ステップＳ１に戻る。
【００２６】
ステップＳ１４において、ＧＳＭ側の９００ＭＨｚ帯、１８００ＭＨｚ帯および１９００ＭＨｚ帯の少なくとも１つにおいて、ＧＳＭの通信圏内であると判別した場合には、受信レベルの最も高い周波数帯が１９００ＭＨｚであるか否かを判別する（ステップＳ１４）。つまり、ＧＭＳの待ち受けに使用される周波数帯として１９００ＭＨｚを選択したか否かを判別する。受信レベルの最も高い周波数帯が１９００ＭＨｚでない場合には、ステップＳ１１に戻る。
【００２７】
上記ステップＳ１５において、受信レベルの最も高い周波数帯が１９００ＭＨｚであると判別した場合には、所定時間Ｔ１を経時するためのタイマを起動させた後（ステップＳ１６）、第２のＧＳＭのみの待ち受け処理を行う（ステップＳ１７）。第２のＧＳＭのみの待ち受け処理においては、ＧＳＭ側の１９００ＭＨｚ帯のＧＳＭの信号を定期的に受信するといった処理を行う。この場合には、干渉を防止するために、ＰＨＳ側のサーチは行わない。第２のＧＳＭのみの待ち受け処理において、ＧＳＭの受信レベルが所定以下になったときには、ステップＳ１に戻る。
【００２８】
上記ステップＳ１７の第２のＧＳＭのみの待ち受け処理が行われている場合に、時間Ｔ１が経過すると（タイマがタイムアップすると）（ステップＳ１８でＹＥＳ）、第２のＧＳＭのみの待ち受け処理を一旦停止して、ＰＨＳ側のサーチを行い（ステップＳ１９）、ＰＨＳの通信圏内であるか否かを判別する（ステップＳ２０）。ＰＨＳの通信圏内ではないと判別した場合には、ステップＳ１３に戻り、ＰＨＳの通信圏内であると判別した場合には、ステップＳ３に戻る。                
【００２９】
〔２〕デュアル待ち受け時にＧＳＭの待ち受けを優先して受信するモードが設定されている場合
【００３０】
図４は、デュアル待ち受け時にＧＳＭの待ち受けを優先して受信するモードが設定されている場合に、ＣＰＵ３、１３によって実行される処理の手順を示している。
【００３１】
電源がオンされると、まず、ＧＳＭ側の９００ＭＨｚ帯、１８００ＭＨｚ帯および１９００ＭＨｚ帯において、ＧＳＭ側のサーチを行ない（ステップＳ３１）、ＧＳＭ側の９００ＭＨｚ帯、１８００ＭＨｚ帯および１９００ＭＨｚ帯の少なくとも１つにおいて、ＧＳＭの通信圏内であるか否かを判別する（ステップＳ３２）。
【００３２】
ＧＳＭの通信圏内であると判別した場合には、受信レベルの最も高い周波数帯が１９００ＭＨｚであるか否かを判別する（ステップＳ３３）。つまり、ＧＭＳの待ち受けに使用される周波数帯として１９００ＭＨｚを選択したか否かを判別する。受信レベルの最も高い周波数帯が１９００ＭＨｚではないと判別した場合には、ＰＨＳ側のサーチの行ない（ステップＳ３４）、ＰＨＳの通信圏内であるか否かを判別する（ステップＳ３５）。
【００３３】
ＰＨＳの通信圏内であると判別した場合には、デュアル待ち受け状態に移行する（ステップＳ３６）。デュアル待ち受け状態においては、ＧＳＭ側の９００ＭＨｚ帯および１８００ＭＨｚ帯のうち通信圏内であると判別された周波数帯（両方が圏内である場合には受信レベルの高い方の周波数帯）のＧＳＭの信号と、ＰＨＳの信号とを定期的に受信するといった処理を行う。デュアル待ち受け状態において、ＰＨＳの受信レベルが所定以下になったときには、後述するステップＳ３７の第１のＧＳＭのみの待ち受け状態に移行する。デュアル待ち受け状態において、ＧＳＭの受信レベルが所定以下になったときには、後述するステップＳ４１のＰＨＳのみの待ち受け状態に移行する。
【００３４】
上記ステップＳ３５において、ＰＨＳの通信圏内ではないと判別した場合には、第１のＧＳＭのみの待ち受け状態に移行する（ステップＳ３７）。第１のＧＳＭのみの待ち受け状態においては、ＧＳＭ側の９００ＭＨｚ帯および１８００ＭＨｚ帯のうち通信圏内であると判別された周波数帯（両方が圏内である場合には受信レベルの高い方の周波数帯）のＧＳＭの信号を定期的に受信するといった処理を行うとともに、所定時間間隔でＰＨＳ側のサーチを行なう。第１のＧＳＭのみの待ち受け状態において、ＧＳＭの受信レベルが所定以下になったときには、ステップＳ３１に戻る。第１のＧＳＭのみの待ち受け状態において、ＰＨＳ側のサーチにより、ＰＨＳの通信圏内であると判別された場合には、上記ステップＳ３６のデュアル待ち受け状態に移行する。
【００３５】
上記ステップＳ３３において、受信レベルの最も高い周波数帯が１９００ＭＨｚであると判別した場合には、第２のＧＳＭのみの待ち受け状態に移行する（ステップＳ３８）。第２のＧＳＭのみの待ち受け状態で実行される処理については後述する。
【００３６】
上記ステップＳ３２において、ＧＳＭの通信圏内ではないと判別した場合には、ＰＨＳ側のサーチの行ない（ステップＳ３９）、ＰＨＳの通信圏内であるか否かを判別する（ステップＳ４０）。
【００３７】
ＰＨＳの通信圏内であると判別した場合には、ＰＨＳのみの待ち受け状態に移行する（ステップＳ４１）。ＰＨＳのみの待ち受け状態で実行される処理については後述する。
【００３８】
上記ステップＳ４０において、ＰＨＳの通信圏内ではないと判別した場合には、上記ステップＳ３１に戻る。
【００３９】
図５は、上記ステップＳ３８の第２のＧＳＭのみの待ち受け状態で実行される処理の手順を示している。
【００４０】
所定時間Ｔ２を経時するためのタイマを起動させた後（ステップＳ５１）、ＧＳＭのみの待ち受け処理を行う（ステップＳ５２）。ＧＳＭのみの待ち受け処理においては、ＧＳＭ側の１９００ＭＨｚ帯のＧＳＭの信号を定期的に受信するといった処理を行う。この場合には、干渉を防止するために、ＰＨＳ側のサーチは行わない。ＧＳＭのみの待ち受け処理において、ＧＳＭの受信レベルが所定以下になったときには、ステップＳ３１に戻る。      
【００４１】
上記ステップＳ５２のＧＳＭのみの待ち受け処理が行われている場合に、時間Ｔ２が経過すると（タイマがタイムアップすると）（ステップＳ５３でＹＥＳ）、ＧＳＭ側の９００ＭＨｚ帯、１８００ＭＨｚ帯および１９００ＭＨｚ帯において、ＧＳＭ側のサーチを行ない（ステップＳ５４）、ＧＳＭ側の９００ＭＨｚ帯、１８００ＭＨｚ帯および１９００ＭＨｚ帯の少なくとも１つにおいて、ＧＳＭの通信圏内であるか否かを判別する（ステップＳ５５）。ＧＳＭの通信圏内ではないと判別した場合には、ステップＳ３１に戻る。
【００４２】
ステップＳ５４において、ＧＳＭ側の９００ＭＨｚ帯、１８００ＭＨｚ帯および１９００ＭＨｚ帯の少なくとも１つにおいて、ＧＳＭの通信圏内であると判別した場合には、受信レベルの最も高い周波数帯が１９００ＭＨｚであるか否かを判別する（ステップＳ５６）。つまり、ＧＭＳの待ち受けに使用される周波数帯として１９００ＭＨｚを選択したか否かを判別する。受信レベルの最も高い周波数帯が１９００ＭＨｚである場合には、ステップＳ５１に戻る。
【００４３】
上記ステップＳ５６において、受信レベルの最も高い周波数帯が１９００ＭＨｚではないと判別した場合には、ＰＨＳ側のサーチを行い（ステップＳ５７）、ＰＨＳの通信圏内であるか否かを判別する（ステップＳ５８）。ＰＨＳの通信圏内であると判別した場合にはステップＳ３６のデュアル待ち受け状態に移行し、ＰＨＳの通信圏内ではないと判別した場合には、ステップＳ３７の第１のＧＳＭのみの待ち受け状態に移行する。
【００４４】
図６は、上記ステップＳ４１のＰＨＳのみの待ち受け状態で実行される処理の手順を示している。
【００４５】
所定時間Ｔ３を経時するためのタイマを起動させた後（ステップＳ６１）、ＰＨＳのみの待ち受け処理を行う（ステップＳ６２）。ＰＨＳのみの待ち受け処理においては、ＰＨＳの信号を定期的に受信するといった処理を行う。この場合には、干渉を防止するために、ＧＳＭ側のサーチは行わない。ＰＨＳのみの待ち受け処理において、ＰＨＳの受信レベルが所定以下になったときには、ステップＳ３１に戻る。
【００４６】
上記ステップＳ６２のＰＨＳのみの待ち受け処理が行われている場合に、時間Ｔ３が経過すると（タイマがタイムアップすると）（ステップＳ６３でＹＥＳ）、ＰＨＳのみの待ち受け処理を停止した後（ステップＳ６４）、ＧＳＭ側の９００ＭＨｚ帯、１８００ＭＨｚ帯および１９００ＭＨｚ帯において、ＧＳＭ側のサーチを行ない（ステップＳ６５）、ＧＳＭ側の９００ＭＨｚ帯、１８００ＭＨｚ帯および１９００ＭＨｚ帯の少なくとも１つにおいて、ＧＳＭの通信圏内であるか否かを判別する（ステップＳ６６）。
【００４７】
ＧＳＭの通信圏内ではないと判別した場合には、ＰＨＳ側のサーチを行ない（ステップＳ６７）、ＰＨＳの通信圏内であるか否かを判別する（ステップＳ６８）。ＰＨＳの通信圏内であると判別した場合には、ステップＳ６１に戻る。ＰＨＳの通信圏内ではないと判別した場合には、ステップＳ３１に移行する。
【００４８】
ステップＳ６６において、ＧＳＭ側の９００ＭＨｚ帯、１８００ＭＨｚ帯および１９００ＭＨｚ帯の少なくとも１つにおいて、ＧＳＭの通信圏内であると判別した場合には、受信レベルの最も高い周波数帯が１９００ＭＨｚであるか否かを判別する（ステップＳ６９）。つまり、ＧＭＳの待ち受けに使用される周波数帯として１９００ＭＨｚを選択したか否かを判別する。受信レベルの最も高い周波数帯が１９００ＭＨｚである場合には、ステップＳ３８の第２のＧＳＭのみ待ち受け状態に移行する。受信レベルの最も高い周波数帯が１９００ＭＨｚではない場合には、ＰＨＳ側のサーチを行ない（ステップＳ７０）、ＰＨＳの通信圏内であるか否かを判別する（ステップＳ７１）。ＰＨＳの通信圏内であると判別した場合には、ステップＳ３６のデュアル待ち受け状態に移行する。ＰＨＳの通信圏内ではないと判別した場合には、ステップＳ３７の第１のＧＳＭのみ待ち受け状態に移行する。
【図面の簡単な説明】
【００４９】
【図１】携帯型電話機の主要部の構成を示すブロック図である。
【図２】デュアル待ち受け時にＰＨＳの待ち受けを優先して受信するモードが設定されている場合に、ＣＰＵ３、１３によって実行される処理の手順を示すフローチャートである。
【図３】図２のステップＳ９のＧＳＭのみの待ち受け状態において実行される処理の手順を示すフローチャートである。
【図４】デュアル待ち受け時にＧＳＭの待ち受けを優先して受信するモードが設定されている場合に、ＣＰＵ３、１３によって実行される処理の手順を示すフローチャートである。
【図５】図４のステップＳ３８の第２のＧＳＭのみの待ち受け状態で実行される処理の手順を示すフローチャートである。
【図６】図４のステップＳ４１のＰＨＳのみの待ち受け状態で実行される処理の手順を示すフローチャートである。
【符号の説明】
【００５０】
１  ＧＳＭアンテナ
２  ＧＳＭ通信制御部
３  ＧＳＭ通信用のＣＰＵ
４  メモリ
１１  ＰＨＳアンテナ
１２  ＰＨＳ通信制御部
１３  ＰＨＳ通信用のＣＰＵ
１４  メモリ
１０  Ｉ／Ｆ部
【図１】
2006203419.tif 000003
【図２】
2006203419.tif 000004
【図３】
2006203419.tif 000005
【図４】
2006203419.tif 000006
【図５】
2006203419.tif 000007
【図６】
2006203419.tif 000008